(57)【要約】  【課題】  被梱包物を挟み込むことなく懸垂状態で梱包できる梱包箱を提供する。  【解決手段】  中央部に窓３を設けた天板２と、その天板２の非窓部分４に前記窓３を挟んで対向する位置に設けられた一対のスリット５と、前記天板２の周縁に連続して、且つ、該天板に対して直角方向に形成された支持足６とを有する第１保持材１と、中に収容された被梱包物７が前記窓部に位置し、且つ、その丈方向の両端部が前記各スリット５を跨ぐような配置で前記天板２上に置かれる樹脂フィルム製袋部材８と、該袋部材８の上から前記スリット５に差し込まれる差込片１３を有し、前記第１保持材１上に積載される第２保持材９と、前記スリット５に前記差込片１３を差し込んだまま前記第１，第２保持材１，９を収容する外箱１５とから構成されることを特徴とする梱包箱。【選択図】      図１
2006096380.tif 000002
【特許請求の範囲】
【請求項１】
中央部に窓を設けた天板と、その天板の非窓部分に前記窓を挟んで対向する位置に設けられた一対のスリットと、前記天板の周縁に連続して形成された支持足とを有する第１保持材と、
中に収容された被梱包物が前記窓部に位置し、且つ、その丈方向の両端部が前記各スリットを跨ぐような配置で前記天板上に置かれる樹脂フィルム製袋部材と、
該袋部材の上から前記スリットに差し込まれる差込片を有し、前記第１保持材上に積載される第２保持材と、
前記スリットに前記差込片を差し込んだまま前記第１，第２保持材を収容する外箱と、
から構成されることを特徴とする梱包箱。
【請求項２】
前記袋部材に前記スリットに対応した長穴を設け、該長穴及び前記スリットに前記差込片を差し込むようにしたことを特徴とする請求項１に記載の梱包箱。
【請求項３】
前記第２保持材は、中央部に窓を設けた天板と、その天板の非窓部分に窓を挟んで対向する位置に設けられた一対のスリットと、天板の周縁に連続して、且つ、該天板に対して直角方向に形成された支持足と、該支持足の下端縁に連続して、且つ、該支持足に対して直角に方向に形成された舌部と、該舌部の先端縁に連続して、且つ、該舌部に対して直角方向に形成された差込片とを有し、一の第２保持材のスリットに他の第２保持材の差込片が差し込むようにしたことを特徴とする請求項１又は２に記載の梱包箱。
【発明の詳細な説明】
【技術分野】
【０００１】
本発明は、損傷しやすい物品を輸送する時の振動や衝撃から保護する簡便な梱包箱に関するものである。
【背景技術】
【０００２】
一般に、ガラス等の破損しやすい素材を用いた物品、回路基板、電気製品等は、輸送、積替え時の外部からの振動・衝撃から保護するために、発泡樹脂製の緩衝材で梱包した後外箱に詰められている。通常これらの緩衝材は、被梱包物である物品の形状や重さに合わせて必要な緩衝能を備えた最適な形状が設計されている。
【０００３】
しかし、保護する物品に合わせて設計された緩衝材は、保護効果の点からは望ましいものであるが、形状が限定されて当該物品以外に用いることができないために、単価が高くなる上、再利用しづらいという問題があった。
【０００４】
そこで、近年、中央部に窓を設けた段ボール等の厚紙から成る枠体に伸縮性のあるフィルムを貼り付け、フィルム部分で被梱包物を挟んで懸垂状態で梱包することのできる梱包箱が提案されている（特許文献１及び２参照）。
【特許文献１】特開平７−１２５７７３号公報
【特許文献２】特開２００１−１９２０６７号公報
【発明の開示】
【発明が解決しようとする課題】
【０００５】
しかしながら、上記従来の梱包箱の構成では、フィルムが枠体に貼り付けられているため、フィルムのみをきれいに剥がして分離するのは極めて困難であり、分別廃棄や再使用には十分な考慮がなされていなかった。また、フィルム部分で被梱包物を挟み込んで梱包するため、例えば、被梱包物が回路基板である場合、輸送時の衝撃や振動で回路基板上に実装された素子が折れ曲がったりしやすいという問題があった。更に、梱包箱の製造工程の中に、枠体にフィルムを貼り付けるという作業工程が入ってくるため、梱包箱の製造コストが高くなり、梱包箱の単価も高くなる問題があった。
【０００６】
本発明は、被梱包物を挟み込むことなく懸垂状態で梱包できる梱包箱を提供することを目的とする。また、本発明は、分別廃棄や再使用がしやすく、しかも、製造コストや材料コストの削減が可能な梱包箱を提供することを目的とする。
【課題を解決するための手段】
【０００７】
上記目的を達成するために本発明は、中央部に窓を設けた天板と、その天板の非窓部分に前記窓を挟んで対向する位置に設けられた一対のスリットと、前記天板の周縁に連続して形成された支持足とを有する第１保持材と、中に収容された被梱包物が前記窓部に位置し、且つ、その丈方向の両端部が前記各スリットを跨ぐような配置で前記天板上に置かれる樹脂フィルム製袋部材と、該袋部材の上から前記スリットに差し込まれる差込片を有し、前記第１保持材上に積載される第２保持材と、前記スリットに前記差込片を差し込んだまま前記第１，第２保持材を収容する外箱と、から構成されることを特徴とする。
【０００８】
また、前記袋部材に前記スリットに対応した長穴を設け、この長穴及びスリットに前記差込片を差し込むようにしてもよい。
【０００９】
また、前記第２保持材は、中央部に窓を設けた天板と、その天板の非窓部分に窓を挟んで対向する位置に設けられた一対のスリットと、天板の周縁に連続して、且つ、該天板に対して直角方向に形成された支持足と、該支持足の下端縁に連続して、且つ、該支持足に対して直角に方向に形成された舌部と、該舌部の先端縁に連続して、且つ、該舌部に対して直角方向に形成された差込片とを有し、一の第２保持材のスリットに他の第２保持材の差込片を差し込むようにしてもよい。この構成によると、第２保持材を複数段に積層することが可能となり、一つの梱包箱によって複数の被梱包物を階層状態で梱包することができるようになる。
【発明の効果】
【００１０】
本発明の梱包箱によると、被梱包物は袋部材に収容されて懸垂状態で第１，第２保持材間に保持されているため、従来のフィルム部分で挟み込むタイプの梱包箱と比べて、被梱包物に対する圧迫力がほとんどなく、堅牢な外装で覆われていない、いわば剥き出しの状態の被梱包物（例えば、回路基板やガラス製品等）でも輸送時の衝撃や振動による破損や故障から保護することができる。また、袋部材に収容された被梱包物を第１，第２保持材間に保持する作業は、接着剤、テープ、紐等を使用しないため、分別廃棄や再使用がしやすく、製造コストや材料コストの削減も可能となる。また、開梱時は、袋部材に被梱包物が入ったまま取り出すことができるため、開梱後の被梱包物の持ち運びも容易に行えるという利便性も備えている。
【発明を実施するための最良の形態】
【００１１】
以下、本発明を実施するための最良の形態について図面を参照して説明する。
【００１２】
本発明の第１の実施形態について説明する。図１は、本発明の第１の実施形態に係る梱包箱の分解斜視図である。本実施形態に係る梱包箱は、中央部に窓３を設けた天板２と、その天板２の非窓部分４（図３参照、以下「枠部分」という。）に前記窓３を挟んで対向する位置に設けられた一対のスリット５と、前記天板２の周縁に連続して、且つ、該天板２に対して直角方向に形成された支持足６とを有する第１保持材１と、中に収容された被梱包物７が前記窓部３に位置し、且つ、その丈方向の両端部が前記各スリット５を跨ぐような配置で前記天板２上に置かれる樹脂（例えば、ポリオレフィン）フィルム製袋部材８と、中央部に窓１１を設けた天板１０と、該天板１０の周縁に連続して、且つ、該天板２に対して直角方向に形成された支持足１２と、前記袋部材８の上から前記スリット５に差し込まれる差込片１３とを有し、前記第１保持材１上に積載される第２保持材９と、前記スリット５に前記差込片１３を差し込んだまま前記第１，第２保持材１，９を収容する外箱１５とから構成される。
【００１３】
図３は、第１保持材１の組立て前の状態を示す平面図である。第１保持材１は、段ボール等を材料とする長方形の厚紙を基にして作製される。厚紙の各短辺から所定距離を隔てた位置に、図３中に破線で示すように、短辺方向に折り目が設けられている。これにより、天板２及び一対の支持足６を形成することができる。天板２の中央部には矩形の窓３が設けられている。その天板２の非窓部分４であって窓３を挟んで対向する位置に一対のスリット５が設けられている。この厚紙の両端部を、上記折り目で直角に山折りすることにより、第１保持材１が組立てられる。
【００１４】
樹脂フィルム製袋部材８は、対向する一対のスリット５，５間の距離よりも充分に長い丈を有している。
【００１５】
図４は、第２保持材９の組立て前の状態を示す平面図である。第２保持材９は、段ボール等を材料とする長方形の厚紙を基にして作製される。厚紙の中央部には矩形の窓１１が設けられている。厚紙の長辺側の周縁部であって各短辺から所定距離を隔てた位置に、Ｌ字型の切り込みが一対ずつ設けられるとともに、厚紙の短辺方向の中央部であってこの一対のＬ字型の切り込みよりも短辺寄りの位置にコの字型の切り込みが設けられている。そして、図４中の破線で示すように、これらＬ字型の切り込みとコの字型の切り込みの端同士を結ぶように折り目が設けられている。さらに、厚紙の短辺長さがスリット５の長さとほぼ同じ寸法になるように、厚紙の四隅は同一形状の矩形に切り欠かれている。これにより、天板１０、一対の支持足１２、一対の差込片１３及び二対の支柱１４を形成することができる。この厚紙の両端部を、上記折り目で直角に山折りすることにより、立体的形状を有する上記第２保持材９が組立てられる。
【００１６】
この第２保持材９は、上記第１保持材１と等しい幅寸法及び奥行き寸法（両寸法は、外箱１５の内部空間の幅寸法及び奥行き寸法とほぼ一致している。）を有しているが、高さ寸法に関しては、厚紙に設けるＬ字の切り込み又は四隅の切り欠きの大きさを変更することで適宜調整が可能である。これにより、第１及び第２保持材１及び９の高さを合わせた保持材全体の高さ寸法を、外箱１５の内部空間の高さ寸法に合致させることができるため、第１保持材１のスリット５に第２保持材９の差込片１３を差し込むことにより一体化された保持材を、その形状を維持したまま外箱１５内に収容することができる。
【００１７】
梱包時は、図１に示すように、袋部材８の中に収容された被梱包物７が窓部３に位置し、且つ、袋部材８の丈方向の両端部が各スリット５を跨ぐような配置で天板２上に該袋部材８を置き、袋部材８の上から第２保持材９の各差込片１３を対応するスリット５に差し込むとともに支持足１２を天板２上で立たせるようにして該第２保持材９を第１保持材１上に積載する。そして、この包装体を外箱１５に収容して密封する。なお、本実施形態においては、天面を開口した外箱としたが、包装体を密封できるものであれば形態は限定されない。
【００１８】
図２に梱包状態を示すように、可撓性に富むフィルム状の袋部材８は、スリット５に差し込まれた差込片１３によって、その両端部を天板２上に残した形で部分的に天板２の下側に押し込まれている。このため、袋部材８は各スリット５の内側で天板２と差込片１３とによって２カ所で窮屈に挟まれ、さらに袋部材８は差込片１３の下端部にＵ字状に引っ掛かった状態となり、その丈方向に対する動きが規制されることになる。従って、袋部材８に収容した被梱包物７が浮いた状態でしっかりと保持される。
【００１９】
本実施形態の梱包箱によると、被梱包物は袋部材に収容されて懸垂状態で第１，第２保持材１，９間に保持されているため、従来のフィルム部分で挟み込むタイプの梱包箱と比べて、被梱包物７に対する圧迫力がほとんどなく、堅牢な外装で覆われていない、いわば剥き出しの状態の被梱包物（例えば、回路基板やガラス製品等）でも輸送時の衝撃や振動による破損や故障から保護することができる。また、袋部材８に収容された被梱包物７を第１，第２保持材間に保持する作業は、接着剤、テープ、紐等を使用しないため、分別廃棄や再使用がしやすく、製造コストや材料コストの削減も可能となる。また、開梱時は、袋部材８に被梱包物７が入ったまま取り出すことができるため、開梱後の被梱包物の持ち運びも容易に行えるという利便性も備えている。
【００２０】
なお、本実施形態では、第１保持材の天板２の窓３を挟んで天板２の長辺方向に対向する一対のスリット５を設ける場合について説明したが、さらに天板２の短辺方向に対向するもう一対のスリットを設け、この新たなスリットに対応して第２保持部材９に支持足及び差込片をもう一対ずつ追加する構成としてもよい。また、第１保持部材１の天板２の枠部分４の四辺全てに支持足６を設けてもよい。
【００２１】
また、本実施形態では、袋部材８を差込片１３によってスリット５に直接押し込んで保持する構成としたが、図５に示すように、袋部材８のスリット５に対応した位置に該スリット５とほぼ同じ大きさの長穴１６を設け、袋部材８の上から長穴１６及びスリット５に差込片１３を差し込むようにしても、上記と同様の効果が得られる。
【００２２】
本発明の第２の実施形態について説明する。本実施形態の説明において、上記第１の実施形態に係る梱包箱と同一の部分には同一の符号を付してその詳細な説明を省略する。図６は、本発明の第１の実施形態に係る梱包箱の分解斜視図である。但し、この図において外箱は省略している。
【００２３】
本実施形態は、第２保持材９が複数段に積載できる構造を備えている点に特徴がある。つまり、第２保持材９は、中央部に窓１８を設けた天板１７と、その天板１７の非窓部分１９（図８参照、以下「枠部分」という。）に窓１８を挟んで対向する位置に設けられた一対のスリット２０と、天板１７の周縁に連続して、且つ、該天板１７に対して直角方向に形成された支持足２１と、該支持足２１の下端縁に連続して、且つ、該支持足２１に対して直角に方向に形成された舌部２２と、該舌部２２に先端縁に連続して、且つ、該舌部２２に対して直角方向に形成された差込片２３とを有している。
【００２４】
図８は、第２保持材９の組立て前の状態を示す平面図である。第２保持材９は、段ボール等を材料とする長方形の厚紙を基にして作製される。この厚紙の各短辺から所定距離を隔てた位置に、図８中に破線で示すように、短辺方向に折り目が設けられている。厚紙の短辺長さがスリット５の長さとほぼ同じ寸法になり、かつ、厚紙の両端に凸五角形の屈曲部を形成するように、厚紙の四隅は同一形状の五角形に切り欠かれている。屈曲部には、図８中の破線で示すように、その基端部に山折りにする折り目が厚紙の短辺方向に設けられ、さらにこの折り目と平行に、同図中の点線で示すように、屈曲部の山形の頂点同士を結ぶ谷折りにする折り目が設けられている。これにより、天板１７、一対の支持足２１、一対の舌部２２及び一対の差込片２３を形成することができる。この厚紙の両端部を、上記破線の折り目で直角に山折りするとともに点線の折り目で直角に谷折りすることで、立体的形状を有する上記第２保持材９が組立てられる。
【００２５】
梱包時は、図６に示すように、袋部材８の中に収容された被梱包物７が窓部３に位置し、且つ、袋部材８の丈方向の両端部が各スリット５を跨ぐような配置で天板２上に該袋部材８を置き、袋部材８の上から第２保持材９の差込片２３をスリット５に差し込むとともに支持足２１を天板２上で立たせるようにして該第２保持材９を第１保持材１上に積載する。
【００２６】
さらに本実施形態では、第２保持材を複数段に積載することが可能である。すなわち、袋部材８の中に収容された被梱包物７が窓部１８に位置し、且つ、袋部材８の丈方向の両端部が各スリット２０を跨ぐような配置で天板１７上に該袋部材８を置き、袋部材８の上から別の第２保持材９'の差込片２３'をスリット２０に差し込むとともに支持足２１'を天板１７上で立たせるようにして該第２保持材９'を上記第２保持材９上に積載する。これを繰り返すことで、第２保持材を幾重にも積層することができる。最後に、この包装体を外箱１５に収容して密封する（図７参照）。
【００２７】
本実施形態によると、図７に示すように、第２保持材９，９'，９''・・・・を複数段に積層することが可能となり、一つの梱包箱によって複数の被梱包物７を階層状態で梱包することができるようになる。この結果、梱包の効率化が可能となり、荷物保管スペースの省スペース化や荷数の削減が図られる。
【産業上の利用可能性】
【００２８】
本発明は、損傷しやすい物品を輸送する時の振動や衝撃から保護する簡便な梱包箱に利用することができる。
【図面の簡単な説明】
【００２９】
【図１】は、本発明の第１の実施形態に係る梱包箱の分解斜視図である。
【図２】は、同上梱包箱の梱包状態を示す縦断面図である。
【図３】は、同上梱包箱の第１保持材の組立て前の状態を示す平面図である。
【図４】は、同上梱包箱の第２保持材の組立て前の状態を示す平面図である。
【図５】は、本発明の第１の実施形態に係る梱包箱の他の例を外箱を省略して示す分解斜視図である。
【図６】は、本発明の第２の実施形態に係る梱包箱を外箱を省略して示す分解斜視図である。
【図７】は、同上梱包箱の梱包状態を示す縦断面図である。
【図８】は、同上梱包箱の第２保持材の組立て前の状態を示す平面図である。
【符号の説明】
【００３０】
１  第１保持材
２  天板
３  窓
５  スリット
６  支持足
７  被梱包物
８  樹脂フィルム製袋部材
１６  長穴
９，９'，９''  第２保持材
１０，１７，１７'，１７''  天板
１１，１８，１８'，１８''  窓
１２，２１，２１'，２１''  支持足
１３，２３，２３'，２３''  差込片
１５  外箱
【図１】
2006096380.tif 000003
【図２】
2006096380.tif 000004
【図３】
2006096380.tif 000005
【図４】
2006096380.tif 000006
【図５】
2006096380.tif 000007
【図６】
2006096380.tif 000008
【図７】
2006096380.tif 000009
【図８】
2006096380.tif 000010